(57)【要約】  【課題】  同じ物体の裏表を表し得るように絵柄を形成できるようにしたラベルを提供することである。  【解決手段】  透明のフィルム基材１１の表面に第１絵柄層２１、遮蔽層２２、及び第２絵柄層２３がその順番で積層されるように印刷形成され、前記第１絵柄層２１に含まれる絵柄部２１ａ、２１ｂ（例えば、果実の外皮を表す）と前記第２絵柄層２３に含まれる絵柄部２３ａ、２３ｂ（例えば、果実の中身を表す）とがそれらの輪郭が合致するように形成された構成となる。【選択図】  図１
2005265913.tif 000002
【特許請求の範囲】
【請求項１】
透明のフィルム基材の表面に第１絵柄層、遮蔽層、及び第２絵柄層がその順番で積層されるように印刷形成され、
前記第１絵柄層に含まれる絵柄部と前記第２絵柄層に含まれる絵柄部とがそれらの輪郭が合致するように形成されたことを特長とするラベル。
【請求項２】
透明のフィルム基材の一方の面側に第１絵柄層が配置されると共に前記フィルム基材の他方の面側に第２絵柄層が配置され、前記第１絵柄層と前記フィルム基材の一方の面との間及び前記第２絵柄層と前記フィルム基材の他方の面との間の少なくとも一方に遮蔽層が配置されるように、前記第１絵柄層、前記遮蔽層及び前記第２絵柄層が前記フィルム基材の両面に印刷形成され、
前記第１絵柄層に含まれる絵柄部と前記第２絵柄層に含まれる絵柄部とがそれぞれの輪郭が合致するように形成されたことを特徴とするラベル。
【請求項３】
前記遮蔽層は、前記各絵柄部の輪郭と合致する輪郭を有する遮蔽部にて構成されたことを特徴とする請求項１または２記載のラベル。
【請求項４】
請求項１乃至３のいずれかに記載のラベルと、
周囲に前記ラベルが貼付された透明容器本体とを有することを特徴とするラベル付き容器
【発明の詳細な説明】
【技術分野】
【０００１】
本発明は、両面側から印刷絵柄を見ることができるラベル及び該ラベルの貼付された容器に関する。
【背景技術】
【０００２】
従来、両面側から印刷絵柄を見ることができるラベルが種々提案されている。第一の従来例（例えば、特許文献1参照）では、図６に示すように、ラベル用フィルム１の一方の面に印刷にて第１絵柄層２が形成され、その上面に不透明印刷層３（例えば、白色インク層）が形成される。そして、不透明印刷層３の上面に印刷にて第２絵柄層４が形成される。このようなラベルでは、ラベル用フィルム１の非印刷両面から見ると(Ａ)、ラベル用フィルム１を通して不透明印刷層３を背景にした第１絵柄（第１絵柄層２に含まれる絵柄）が見え、第２絵柄層４の上方から見ると(Ｂ)、不透明印刷層３を背景とした第２絵柄（第２絵柄層４に含まれる絵柄）が見える。
【０００３】
また、第二の従来例（例えば、特許文献２参照）では、図７に示すように、第１ラベル用フィルム５Ａの一方の面に印刷にて第１絵柄層６が形成され、その上面に裏止め印刷層８Ａ（例えば、白色インク層）が形成される。一方、第２ラベル用フィルム５Ｂの一方の面に印刷にて第２絵柄層７が形成され、その上面に裏止め印刷層８Ｂ（例えば、白色インク層）が形成される。そして、第１絵柄層６及び裏止め印刷層８Ａが形成された第１ラベル用フィルム５Ａと第２絵柄層７及び裏止め印刷層８Ｂが形成された第２ラベル用フィルム５Ａとを、裏止め印刷層８Ａと裏止め印刷層８Ｂとを重ね合わせて接着して一体化する。
このようなラベルでは、第１ラベルフィルム５Ａの非印刷面から見ると（Ａ）、第１ラベルフィルム５Ａを通して裏止め印刷層８Ａを背景とした第１絵柄（第１絵柄層６に含まれる絵柄）が見え、第１ラベルフィルム５Ｂの非印刷両面から見ると（Ｂ）、第１ラベルフィルム５Ｂを通して裏止め印刷層８Ｂを背景とした第２絵柄(第２絵柄層７に含まれる絵柄)
が見える。
【０００４】
上述したような従来のラベルによれば、ラベルの両面側からそれぞれ異なる絵柄（第１絵柄層の絵柄と第２絵柄層の絵柄）を見ることができるようになる。
【特許文献１】特開２０００−８９６７３号公報
【特許文献２】特開２００２−３５８０１９号公報
【発明の開示】
【発明が解決しようとする課題】
【０００５】
しかし、従来のラベルでは、ラベルの一方の面側から見える絵柄と他方の面側から見える絵柄との関連性については考慮されてはおらず、それぞれが独立した絵柄としてラベルに形成されている。そのため、前記ラベルの一方の面側から見える絵柄と他方の面側から見える絵柄は同じ物体の裏表等を表し得るものではない。
【０００６】
本発明は、このような従来の問題を解決するためになされたもので、同じ物体の裏表等を表し得るように絵柄を形成できるようにしたラベルを提供するものである。
【課題を解決するための手段】
【０００７】
本発明に係るラベルは、透明のフィルム基材の表面に第１絵柄層、遮蔽層、及び第２絵柄層がその順番で積層されるように印刷形成され、前記第１絵柄層に含まれる絵柄部と前記第２絵柄層に含まれる絵柄部とがそれらの輪郭が合致するように形成された構成となる。
【０００８】
このような構成により、遮蔽層により第１絵柄層と第２絵柄層が干渉することなく分離されると共に、フィルム基材の両面側からそれぞれ輪郭が合致する第１絵柄層の絵柄部と第２絵柄層の絵柄部とが見えるようになる。
【０００９】
前記フィルム基材は、ラベルの使用目的に支障なく前記第１絵柄層の絵柄部が当該フィルム基材を通して視認できる程度の透明性を有していればよい。
【００１０】
前記遮蔽層は、第１絵柄層と第２絵柄層を分離するものであって、本発明に係るラベルは、前記遮蔽層が、前記各絵柄層の絵柄部の輪郭と合致する輪郭を有する構成となる。このような構成により、遮蔽部により第１絵柄層に含まれる絵柄部と第２絵柄層に含まれる絵柄部とが干渉することなく分離されると共に、フィルム基材の両面側からそれぞれ輪郭が一致する第１絵柄層の前記絵柄部と第２絵柄層の前記絵柄部とが見えるようになる。
【００１１】
本発明に係るラベルは、透明のフィルム基材の一方の面側に第１絵柄層が配置されると共に前記フィルム基材の他方の面側に第２絵柄層が配置され、前記第１絵柄層と前記フィルム基材の一方の面との間及び前記第２絵柄層と前記フィルム基材の他方の面との間の少なくとも一方に遮蔽層が配置されるように、前記第１絵柄層、前記遮蔽層及び前記第２絵柄層が前記フィルム基材の各面に印刷形成され、前記第１絵柄層に含まれる絵柄部と前記第２絵柄層に含まれる絵柄部とがそれぞれの輪郭が合致するように形成された構成となる。
【００１２】
このような構成により、透明のフィルム基材の一方の面側に配置される第１絵柄層と他方の面側に配置される第２絵柄層とは遮蔽層により干渉することなく分離され、フィルム基材の両面側からそれぞれ輪郭の合致する第１絵柄層の絵柄部と第２絵柄層の絵柄部とが見えるようになる。
【００１３】
本発明に係るラベル付き容器は、前述したいずれかのラベルと、周囲に前記ラベルが貼付された透明容器本体とを有する構成となる。
【００１４】
このような構成により、ラベルの外方から第１絵柄層の絵柄部を見ることができると共に、前記第１絵柄層の絵柄部の輪郭と合致する輪郭となる第２絵柄層の絵柄部を透明容器本体を通して見ることができる。
【００１５】
前記ラベルは、透明容器本体の周囲に部分的に貼付されるものであっても、透明容器本体の全周に貼付されるものであってもよい。
【発明の効果】
【００１６】
本発明によれば、遮蔽層により第１絵柄層と第２絵柄層が干渉することなく分離されると共に、フィルム基材の両面側からそれぞれ輪郭が合致する第１絵柄層の絵柄部と第２絵柄層の絵柄部とが見えるようになるので、第１絵柄層の前記絵柄部と第２絵柄層の前記絵柄部とによって同じ物体の裏表を表し得るようになる。
【発明を実施するための最良の形態】
【００１７】
以下、本発明の実施の形態について、図面を用いて説明する。
【００１８】
本発明の実施の一形態に係るラベルの断面が図１に示される。
【００１９】
図１に示すラベル１０では、透明のフィルム基材１１の表面に絵柄部２１ａ、２１ｂを含む第１絵柄層２１が印刷形成され、第１絵柄層２１上に絵柄部２１ａ、２１ｂのそれぞれの輪郭と合致する輪郭を有する遮蔽部２２ａ、２２ｂ（例えば、白色部分）から構成される遮蔽層２２が印刷形成されている。更に、遮蔽層２２上に第１絵柄層２１に含まれる絵柄部２１ａ、２１ｂのそれぞれの輪郭と合致する輪郭を有する絵柄部２３ａ、２３ｂを含む第２絵柄層２３が印刷形成されている。
【００２０】
このようなラベル１０は、例えば図２に示す手順に従って製造される。
【００２１】
コンピュータ製版処理装置に対して第１絵柄層２１及び第２絵柄層２３のそれぞれに対応した原稿画像がスキャナ等を用いて入力される（Ｓ１）。コンピュータ製版処理装置では、入力された原稿画像に対して修正、色分解等の画像処理がなされ、第１絵柄層２１の各色対応の版画像、第２絵柄層２３の各色対応の版画像、及び遮蔽層２２の版画像が生成される（Ｓ２）。前記各版画像は、第１絵柄層２１に含まれる絵柄部２１ａ、２１ｂのそれぞれの輪郭と、遮蔽層２２の遮蔽部２２ａ、２２ｂのそれぞれの輪郭と、第２絵柄層２３に含まれる絵柄部２３ａ、２３ｂのそれぞれの輪郭とが合致するように生成される。輪郭が合致する第１絵柄層２１の絵柄部２１ａ、２１ｂと第２絵柄層２３の絵柄部２３ａ、２３ｂとが表す絵柄は任意に定めることができるが、例えば、図４に示すように、第１絵柄層２１の絵柄部２１ａが果実の外皮の絵柄を表し、その絵柄部２１ａの輪郭に合致する第２絵柄層２３の絵柄部２３ａがその果実の中身の絵柄を表すようにすることができる。
【００２２】
製版装置では、前記各版画像に基づいて、第１絵柄層２１の各色対応の版（第１絵柄層用版）、第２絵柄層２３の各色対応の版〈第２絵柄層用版〉及び遮蔽層２２の版（遮蔽層用版）がそれぞれ、例えば、グラビア印刷用の版として作成される（Ｓ３）。次いで、第１絵柄層２１、遮蔽層２２及び第２絵柄層がこの順番で刷り重ねがなされるように、各版と対応するインクとが多色印刷機（例えばグラビア印刷機）にセットされ（Ｓ４）、多色印刷機によりフィルムシートに順次印刷がなされる（Ｓ５）。この印刷工程（Ｓ５）では、フィルムシート上に第１絵柄層２１が印刷され（Ｓ５１）、第１絵柄層２１上に遮蔽層２２が刷り重ねられ（５２）、更に遮蔽層２２の上に第２絵柄層２３が刷り重ねられる（Ｓ５３）。 遮蔽層２２により、第１絵柄層２１と第２絵柄層２３とが干渉しあうことはない。
【００２３】
このようにして印刷の工程を経たフィルムシートは、ラベル加工機（裁断機を含む）に供給される。ラベル加工機では、例えば、透明のペットボトルに貼付されるラベルの場合、前記フィルムシートが印刷面を内側にして筒状に加工されつつ所定の長さに裁断され、筒状のラベル１０が生成される（Ｓ６）。このラベル１０は、図１に示すように、フィルム基材１１（フィルムシートの裁断片）の表面に第１絵柄層２１、遮蔽層２２及び第２絵柄層がその順番で積層されるように印刷形成されたものとなる。
【００２４】
前述した筒状のラベル１０が貼付されたペットボトルの断面が図３に示される。
【００２５】
図３に示すように、ペットボトル３０の外側を被うようにラベル１０が貼付（シュリンク）される。この状態で、ペットボトル３０の一方側（Ａ）から透明のフィルム基材１１を通して第１絵柄層２１の絵柄部２１ａを見ることができ、ペットボトル３０の反対側（Ｂ）からフィルム基材１１及びペットボトル３０を通して第１絵柄層２１の絵柄部２１ａの輪郭と合致する輪郭となる第２絵柄層２３の絵柄部２３ａを見ることができる。図４に示すように、第１絵柄層２１の絵柄部２１ａが果実（例えばオレンジ）の外皮を表し、第２絵柄層２３の絵柄部２３ａが第１絵柄層の絵柄部２１ａの輪郭と合致する輪郭となる前記果実の中身を表す場合、ペットボトル３０の一方側（Ａ）から果実の外皮を表す絵柄を見ることができるとともに、ペットボトル３０の反対側（Ｂ）から当該果実の中身を表す絵柄を見ることができるようになる。
【００２６】
次に、図５（ａ）〜（ｄ）のそれぞれは、本発明の他の実施の形態に係るラベル１００の断面を示す。これらの例では、一方の面側に第１絵柄層が配置されると共に他方の面側に第２絵柄層が配置され、その両面側からそれぞれ輪郭の合致する絵柄を見ることができるようにしたラベル１００が示される。
【００２７】
図５（ａ）に示すラベル１００では、透明のフィルム基材１１０の一方の面に絵柄部２１０ａ、２１０ｂを含む第１絵柄層２１０と、絵柄部２１０ａ、２１０ｂのぞれぞれの輪郭に合致する輪郭を有する遮蔽部２２０ａ、２２０ｂから構成される遮蔽層２２０が、遮蔽層２２０、第１絵柄層２１０の順番に印刷形成されている。また、フィルム基材１１０の他方の面に第１絵柄層２１０の絵柄部２１０ａ、２１０ｂのそれぞれの輪郭に合致する輪郭を有する絵柄部２３０ａ、２３０ｂを含む第２絵柄層２３０が印刷形成されている。このような第１絵柄層２１０、遮蔽層２２０及び第２絵柄層２３０は、公知となる両面印刷の技術と各版の位置合わせの技術により容易に印刷形成することができる。フィルム基材１１０及び遮蔽層２２０により第１絵柄層２１０と第２絵柄層２３０とが分離されているので、印刷の過程で、第１絵柄層２１０と第２絵柄層２３０とが相互に干渉しあうことはない。
【００２８】
図５（ｂ）〜（ｄ）に示すように、遮蔽層２２０は、第１絵柄層２１０と第２絵柄層２３０との間に形成されていればよい。すなわち、第２絵柄層２３０とフィルム基材１１０の面との間（図５（ｂ）参照）、第１絵柄層２１０の絵柄部２１０ａとフィルム基材１１０の面との間及び第２絵柄層２３０の絵柄部２３０ｂとフィルム基材１１０の面との間（図５（ｃ）参照）、第１絵柄層２１０とフィルム基材１１０の面との間及び第２絵柄層２３０とフィルム基材１１０の面との間（図５（ｄ）参照）に、遮蔽層２２０を印刷形成することができる。
【００２９】
前述したように第１絵柄層２１０、遮蔽層２２０及び第２絵柄層２３０のそれぞれがフィルム基材１１０の各面に形成されたラベル１００では、ラベル１００の一方の面側（ペットボトル３０に貼付された場合、例えば外面側）からは、第１絵柄層２１０の絵柄部２１０ａ、２１０ｂを見ることができるとともに、ラベル１００の他方の面側（ペットボトル３０に貼付された場合、例えば内面側）からは、第１絵柄層２１０の絵柄部２１０ａ、２１０ｂのそれぞれの輪郭と合致する輪郭を有する第２絵柄層２３０の絵柄部２３０ａ、２３０ｂを見ることができる。
【００３０】
図５（ａ）〜（ｄ）に示す例において、フィルム基材１１０は透明であって、ラベル１００を貼付したペットボトル３０では、フィルム基材１１０の絵柄部が形成されていない部分及びペットボトル３０を通してラベル１００の内側面に形成された絵柄を容易に視認できるようになる。
【００３１】
前述した各例において、第１絵柄層２１（２１０）及び第２絵柄層２３（２３０）は、相互に輪郭の合致する絵柄部２１ａ、２１ｂ（２１０ａ、２１０ｂ）及び絵柄部２３ａ、２３ｂ（２３０ａ、２３０ｂ）以外の独立した絵柄を含むか否かについては特に限定されない。例えば、第１絵柄層２１にのみ含まれる絵柄部を、ラベルの両面側から共通の絵柄として見えるようにしたり、ラベルの一方の側からのみ見ることを目的とした絵柄とすることもできる。
【００３２】
なお、本発明に係るラベルは、ペットボトル３０等の透明容器に貼付されるものの他、窓、扉等の透明体面（例えば、ガラス面）に貼付されるものであってもよい。この場合、その透明体面の両側からそれぞれ輪郭が合致する絵柄を見ることができるようになる。
【００３３】
また、本発明に係る絵柄は、同じ物体の表裏を表す絵柄に限定されることはなく、例えば、同じ物体の異なる色を表す絵柄や、輪郭が合致する異なる物体を表す絵柄等を形成することが可能である。
【産業上の利用可能性】
【００３４】
以上、説明したように、本発明に係るラベルは、同じ物体の表裏を表し得るように絵柄を形成できるようになり、両面側から印刷絵柄を見ることができるラベルとして有用である。
【図面の簡単な説明】
【００３５】
【図１】本発明の実施の一形態に係るラベルの断面を示す図である。
【図２】本発明の実施の一形態に係るラベルの製造手順を示すフローチャートである。
【図３】本発明の実施の一形態に係るラベルをペットボトルに貼付した状態を示す断面図である。
【図４】本発明の実施の一形態に係るラベルに印刷された絵柄例を示す図である。
【図５】本発明の他の実施の形態に係るラベルの断面を示す図である。
【図６】従来のラベル（第一の従来例）の断面を示す図である。
【図７】従来のラベル（第二の従来例）の断面を示す図である。
【符号の説明】
【００３６】
１０、１００  ラベル
１１、１１０  フィルム基材
２１、２１０  第１絵柄層
２１ａ、２１ｂ、２１０ａ、２１０ｂ  絵柄部
２２、２２０  遮蔽層
２２ａ、２２ｂ、２２０ａ、２２０ｂ  遮蔽部
２３、２３０  第２絵柄層
２３ａ、２３ｂ、２３０ａ、２３０ｂ  絵柄部
３０  ペットボトル
【図１】
2005265913.tif 000003
【図２】
2005265913.tif 000004
【図３】
2005265913.tif 000005
【図４】
2005265913.tif 000006
【図５】
2005265913.tif 000007
【図６】
2005265913.tif 000008
【図７】
2005265913.tif 000009